(57)【要約】      （修正有）【課題】フアイルされた紙片の中から、必要な紙片を中抜きした後に、取外した紙片をフアイルに戻す場合に、着脱足に嵌入されたままの状態で、紙片の綴じ穴が固定足の先端に引っ掛かることがなく、容易且つ迅速に綴じ込めるようにする。【解決手段】フアイル本体に固定する固定座板１に、紙片２の複数個の綴じ穴３を各々貫通し且つ各々が該穴に内接する一対の固定足４を突設し、この各固定足の外側には溝５を形成し、他方着脱座板６には、紙片の複数個の綴じ穴を貫通し且つ各々が該穴に外接する一対の着脱足７を突設し、この各着脱足の内側には、上記固定足の溝に嵌合する突条を形成したものである。【選択図】図１
0003112965.tif 000002
【実用新案登録請求の範囲】
【請求項１】
フアイル本体に固定する固定座板に、紙片の複数個の綴じ穴を各々貫通し且つ各々が該穴に内接する一対の固定足を突設し、この各固定足の外側には溝を形成し、他方着脱座板には、紙片の複数個の綴じ穴を貫通し且つ各々が該穴に外接する一対の着脱足を突設し、この各着脱足の内側には、上記固定足の溝に嵌合する突条を形成したことを特徴とする中抜きフアイルの綴じ足。
【考案の詳細な説明】
【技術分野】
【０００１】  本考案は、固定足と着脱足を嵌合させて止定する中抜きフアイルの綴じ足に関するものである。
【背景技術】
【０００２】  従来の中抜きフアイルの綴じ足は、図３に示すように、フアイル本体に固定する固定座板１に、紙片２の複数個の綴じ穴３、３に各々が嵌合する一対の筒状の固定足４、４を突設し、他方、着脱座板６には、上記の一対の筒条の固定足４、４に嵌合する一対の杆状の着脱足７、７を突設して構成されていた。従って、着脱足７、７が固定足４、４から外された状態において、紙片２は、その綴じ穴３、３に固定足４、４を嵌入して順次重合し、着脱足７、７を固定足４、４に嵌入して固定し、紙片２を綴じていた。
しかしながら、重合して綴じられた紙片２の一部を中抜きした後に、取外された着脱足７、７を固定足４、４に嵌入するに際しては、着脱足７、７と共に取外された紙片２、即ち中抜きされた紙片２よりも上部にあった紙片２は、その綴じ穴３、３に着脱足７、７が遊動状態にあり、図３のように着脱足７、７がこれより大径の綴じ穴３、３の端部に位置している場合には、着脱足７、７を固定足４、４に嵌入しても、綴じ穴３、３が固定足４、４に引っ掛かって綴じ込みにくく、このため、着脱足７、７を綴じ穴３、３の中央に位置させて調整した後でなければ、取外した紙片２を綴じ込むことが不可能であり、又綴じ穴３、３を傷める要因にもなっていた。
【考案の開示】
【考案が解決しようとする課題】
【０００３】  本考案は、上述した従来例の難点を解決しようとするもので、必要な紙片を中抜きした後に、取外された紙片をフアイルに戻す場合に、紙片が着脱足に嵌入されたままの状態で、容易且つ迅速に綴じ込めるようにしたものである。
【課題を解決するための手段】
【０００４】  本考案の中抜きフアイルの綴じ足は、フアイル本体に固定する固定座板に、紙片の複数個の綴じ穴を各々貫通し且つ各々が該穴に内接する一対の固定足を突設し、この各固定足の外側には溝を形成し、他方着脱座板には、紙片の複数個の綴じ穴を貫通し且つ各々が該穴に外接する一対の着脱足を突設し、この各着脱足の内側には上記固定足の溝に嵌合する突条を形成したものである。
【考案の効果】
【０００５】  本考案によれば、多数枚の紙片が綴じられたフアイルより、必要な紙片を中抜きする場合、上部の紙片を着脱足と共に、固定足より取外し、必要な紙片を固定足より取外し、その後に取外した紙片をフアイルに戻す場合、その綴じ穴に着脱足が嵌入した状態で、着脱足の突条を固定足の溝に嵌合すれば、固定足が綴じ穴に内接しており、着脱足が綴じ穴に外接しているので、取外したフアイルに戻す紙片は、固定足に接触することなく、固定足に残っていた紙片に重合し、容易且つ迅速に綴じ込むことができる。
【考案の実施するための最良の形態】
【０００６】  本考案は、多数枚の紙片がフアイルされている状態において、紙片の一部を中抜きした後、取外した紙片の綴じ穴に一対の着脱足が嵌入した状態で、この取外した紙片を一対の固定足に嵌入する時、一対の着脱足の突条が各々一対の固定足に形成した溝を滑動するようになっている。又各突条が固定足の各溝を滑動する時に、一対の固定足がフアイルに残された紙片の各綴じ穴に内接し、一対の着脱足がフアイルに戻す紙片の各綴じ穴に外接し、両紙片の綴じ穴が横方向にずれることなく対応しており、取外した紙片の再フアイルが容易となる。
【実施例】
【０００７】  以下、添付図面に従って一実施例を説明する。
１はフアイル本体に固定する固定座板で、この固定座板１には、紙片２に穿設された複数個の綴じ穴３、３を貫通し、対向する該穴３、３に内接する一対の固定足４、４が突設されている。紙片２の綴じ穴３、３に固定足４、４を嵌入すると、一対の固定足４、４が複数個の綴じ穴３、３に内接するので、固定足４、４は綴じ穴３、３内を移動しないようになっている。この一対の固定足４、４の外側の軸方向には溝５が形成されている。６は着脱座板で、一面には、紙片２の複数個の綴じ穴３、３を貫通し、対向する該穴３、３に外接する一対の着脱足７、７が突設されている。紙片２の綴じ穴３、３に着脱足７、７を嵌入すると、一対の着脱足７、７が複数個の綴じ穴３、３に外接するので、着脱足７、７は綴じ穴３、３内を移動しないようになっている。この一対の着脱足７、７の内側の軸方向には、紙片２の綴じ込み時に、一対の固定足４、４の各々の溝５に嵌合する突条８が形成されている。図示しないが、着脱座板６は固定座板１に止定可能になっている。【０００８】  本考案の一実施例は上記の構成からなり、着脱足７、７を着脱座板６と共に固定足４、４より取外した状態で、紙片２を、その綴じ穴３、３に固定足４、４を嵌入して固定座板１上に順次重合し、取外した着脱足７、７をその突条８を固定足４、４の溝５に嵌入すると、着脱足７、７が紙片２の綴じ穴３、３の外側を貫通し、紙片２が綴じられる。この状態より、必要な紙片２を中抜きする場合、これより上部の紙片２を着脱足７、７と共に固定足４、４より取外し、次いで必要な紙片２を固定足４、４より取外し、その後に、フアイルに戻す取外した紙片２を、その綴じ穴３、３に着脱足７、７が嵌入した状態で、図１の矢印方向に着脱足７、７の突条８、８を固定足４、４の溝５、５に嵌入すれば、着脱足７、７は固定足４、４の外側を滑動して固定足４、４に嵌合し、着脱足７、７が固定座板１に当接して取外した紙片２が綴じられる。このように、着脱足７、７を固定足４、４に、溝５と突条８を利用して嵌入する時に、固定足４、４が綴じ穴３、３に内接しており、着脱足７、７が綴じ穴３、３に外接するので、固定足４、４に残された紙片２の綴じ穴３、３と固定足４、４に戻す取外した紙片２の綴じ穴３、３とが、横方向にずれることなく上下に対応し、取外した紙片２を固定足４、４に接触させることなく、固定足４、４に残された紙片２に重合させて綴じ込むことができる。
【図面の簡単な説明】
【０００９】
【図１】  本考案の中抜きフアイルの綴じ足の正面図である。
【図２】  本考案の図１の拡大横断面図である。
【図３】  従来例の正面図である。
【符号の説明】
【００１０】  １  固定座板
２  紙片
３  綴じ穴
４  固定足
５  溝
６  着脱座板
７  着脱足
８  突条
【図１】
0003112965.tif 000003
【図２】
0003112965.tif 000004
【図３】
0003112965.tif 000005